(57)【特許請求の範囲】
【請求項１】
表ケーシングと裏ケーシングとを合体させて形成される内部に制御基板を収容した制御基板ボックスと、前記表ケーシングと前記裏ケーシングとに跨って貼着された封印紙と、を備える遊技機において、
前記封印紙の貼着面に突部が形成され、前記封印紙には前記突部が貫通可能な孔が形成され、該孔に前記突部を貫通させて前記封印紙を前記貼着面に貼着したことを特徴とする遊技機。
【発明の詳細な説明】
【０００１】
【発明の属する技術分野】
本発明は、封印紙貼着構造を適用した制御基板ボックスを備える遊技機に関する。
【０００２】
【従来の技術】
従来、特公平５−７６８７８号公報などに開示された遊技機の制御基板ボックスでは、図１４に示すように一対のケーシング１，２を合体せしめて形成され、内部に制御基板３を収容している。一対のケーシング１，２はそれぞれ略浅箱形に形成され、それぞれの側壁１ａ，２ａが隣接して当該筺体の側壁４を形成している。この側壁４は平坦であり、封印紙５は当該側壁上にて両方の隣接面に跨るように貼着されている。すなわち、当該側壁４が封印紙５の貼着面となっている。
【０００３】
【発明が解決しようとする課題】
上述した従来の封印紙貼着構造においては、封印紙５の貼着面は平坦であるため、剃刀の刃などを貼着面に対して斜めに当接させ、封印紙５と貼着面との間に滑り込ませていくと、封印紙５を破ることなく剥がせてしまい、封印紙５の役目を果たさないことがあるという課題があった。
本発明は、上記課題にかんがみてなされたもので、封印紙を剥がしにくくすることが可能な遊技機の提供を目的とする。
【０００４】
【課題を解決するための手段】
上記目的を達成するため、請求項１にかかる発明は、表ケーシングと裏ケーシングとを合体させて形成される内部に制御基板を収容した制御基板ボックスと、前記表ケーシングと前記裏ケーシングとに跨って貼着された封印紙と、を備える遊技機において、前記封印紙の貼着面に突部が形成され、前記封印紙には前記突部が貫通可能な孔が形成され、該孔に前記突部を貫通させて前記封印紙を前記貼着面に貼着した構成としてある。
【０００５】
【作用】
上記のように構成した請求項１にかかる発明においては、封印紙の孔に突部を貫通させて封印紙を貼着面に貼着したため、剃刀の刃を斜めに当接させて滑り込ませようとしたときに、途中で同突部が突き当たってしまう。
【０００６】
【発明の効果】
以上説明したように本発明は、剃刀の刃などを貼着面と封印紙との間に滑り込ませようとしても途中で突部に突き当たってしまうようにしたため、封印紙を破ることなく剥がすことを防止することが可能な遊技機を提供することができる。
【０００７】
【発明の実施の形態】
以下、図面にもとづいて本発明の実施形態を説明する。
図１は、本発明の一実施形態にかかる封印紙貼着構造を適用した遊技機用制御基板ボックスを分解斜視図により示しており、図２は同遊技機用制御基板ボックスにて制御される遊技機を正面図により示しており、図３は同遊技機用制御基板ボックスの収容状態を遊技機の背面図により示している。
【０００８】
同図において、パチンコ遊技機１０は遊技盤１１の中央に可変表示器付入賞装置１２を備えており、同入賞装置１２のディジタル可変表示器１３をはじめとして各種の電気機器を制御するために機構板２０の背面に制御基板ボックス３０を備えている。制御基板ボックス３０はそれぞれ一面を開口させた浅箱形の樹脂からなる表ケーシング３１と裏ケーシング３２とを対面させ、間に制御基板３３を収容してネジ止め固定して形成されている。
【０００９】
本実施形態においては、封印紙貼着構造が適用される対象をパチンコ遊技機１０の制御基板ボックス３０としているが、封印紙を貼着せしめて開閉を規制するような対象物であれば特に限定されるものではない。従って、パチンコ遊技機１０に限らずスロットマシンのような他の遊技機の封印部に適用したり、あるいは、制御基板ボックス３０以外の他の封印部、例えば電気メータやガスメータなどに適用したりすることもできる。むろん、樹脂にて形成されている場合に限らず、金属製のケーシングの場合であっても適用可能であるし、一方が樹脂で形成されて他方が金属で形成されている場合であっても適用可能である。
【００１０】
制御基板ボックス３０は、天井面と底面、正面と背面、および両側面が互いに平行となる矩形箱形に形成され、上面と下面には二ヶ所ずつ凸部４１，４２が形成されている。各凸部４１，４２はそれぞれ表ケーシング３１と裏ケーシング３２の側にて対称に形成された角形の台部４１ａ，４１ｂ，４２ａ，４２ｂが表裏方向に連続するように並んで形成されており、両ケーシング３１，３２の隣接面に突部４０が形成されたことになる。図４及び図５に示すように、封印紙５０は、この突部４０を含めてケーシング３１，３２の隣接面に貼着される。この意味でケーシング３１，３２の隣接面が封印紙５０の貼着面を構成する。
【００１１】
本実施形態においては、封印紙５０が貼着される面そのものに突部４０を形成しているが、封印紙５０の貼着面に沿って剃刀などの刃を滑らせようとしたときに同突部４０にぶつかるように突部が形成されていればよい。
例えば、上述した実施形態においては、凸部４１，４２は角形の台部４１ａ，４１ｂ，４２ａ，４２ｂが表裏方向に連続するように並んで形成されているが、必ずしも角形である必要はなく、図６や図７に示すように、蒲鉾形のように表面が曲面をなす台部４３ａ，４３ｂを表ケーシング３１と裏ケーシング３２の隣接面にて表裏方向に連続するように並んで形成しておいてもよい。角形のものでは角部に剃刀の刃などが食い込みやすく滑らし難いが、曲面の場合も曲面に沿って滑らすのが難しく、剥がし難いという効果がある。なお、封印紙５０は制御基板ボックス３０におけるケーシング３１，３２の平坦な側壁面に貼着される場合に限らず、例えば、図８に示すように面と面とが接する角部に対して貼着されるものであっても良い。
【００１２】
また、貼着面とは必ずしも封印紙５０と直に接する部位だけでなく、その周縁の面を含むものである。例えば、図９に示すように、表ケーシング３１と裏ケーシング３２の隣接面に封印紙５０の外縁を取り囲むように連続した突部４４を構成する枠状のリブ４４ａ，４４ｂを形成しておき、当該表ケーシング３１と裏ケーシング３２とを合体させたときには図１０に示すように封印紙５０の貼着部位の外周を取り囲むようにしてもよい。
【００１３】
この場合、貼着部位自体は平面であるものの、貼着面としては封印紙５０の全周囲にリブ４４ａ，４４ｂからなる突部４０が形成されており、封印紙５０と貼着面の間に剃刀の刃などを滑り込ませる余地がない。
さらには、貼着面に突部を形成するだけではなく、封印紙の側にもこれと共同して剥がし難くするようにしておいても良い。例えば、図１１に示す実施形態においては、表ケーシング３１と裏ケーシング３２とによって隣接部位に跨るように小突起（突部）４５，４５を形成せしめ、封印紙５０には同小突起４５，４５が貫通可能な孔５１，５１を形成してある。図１２に示すように表ケーシング３１と裏ケーシング３２とを合体せしめつつ小突起４５，４５が同孔５１，５１に入り込むようにして封印紙５０を貼着せしめれば、封印紙５０と貼着面の間に剃刀の刃などを滑り込ませていっても途中で小突起４５，４５に突き当たって進めなくなる。特に、本実施形態のように突部を二つ作っておけば、周縁を回り込ませて剥がすこともできなくなる。なお、このような突部の間の隙間は狭くなるほど剃刀の刃などを挿入し難くなるので、図示するものよりもさらに狭くして実施するのが好ましい。
【００１４】
そして、図１３に示す実施形態においては、封印紙５０の貼着部位の周縁を取り囲んで複数の突起（突部）４６を形成している。このような突起４６は封印紙５０の剥離防止のための専用品である必要はなく、他の機能を兼ね備えつつ封印紙５０の貼着部位に隣接していくつか形成されていることにより、上述したようにして剃刀の刃などを滑り込ませていくことが困難になる。
このように、パチンコ遊技機１０における制御基板ボックス３０のように開閉可能な表ケーシング３１と裏ケーシング３２における互いの隣接面に跨って封印紙５０を貼着するものにおいて、同封印紙５０の貼着面には突部４０を形成しているため、同突部４０が貼着部位そのものとなる場合や、封印紙５０を外縁から取り囲む場合や、封印紙５０を貫通して突き出る場合などを含め、剃刀の刃などを貼着面との間に滑り込ませようとしても同突部４０に突き当たり、剥がすことができなくなる。
【図面の簡単な説明】
【図１】本発明の一実施形態にかかる封印紙貼着構造を適用した遊技機用制御基板ボックスの分解斜視図である。
【図２】同遊技機用制御基板ボックスにて制御される遊技機の正面図である。
【図３】同遊技機用制御基板ボックスの収容状態を示す遊技機の背面図である。
【図４】遊技機用制御基板ボックスに封印紙を貼着した状態の斜視図である。
【図５】遊技機用制御基板ボックスに封印紙を貼着した状態の上面図である。
【図６】変形例にかかる封印紙貼着構造を適用した遊技機用制御基板ボックスの上部部分斜視図である。
【図７】他の変形例にかかる封印紙貼着構造を適用した遊技機用制御基板ボックスの上部部分斜視図である。
【図８】他の遊技機用制御基板ボックスに適用した封印紙貼着構造を示す斜視図である。
【図９】他の変形例にかかる封印紙貼着構造を適用した遊技機用制御基板ボックスの上部分解斜視図である。
【図１０】同封印紙貼着構造を適用した遊技機用制御基板ボックスの上部部分斜視図である。
【図１１】他の変形例にかかる封印紙貼着構造を適用した遊技機用制御基板ボックスの上部分解斜視図である。
【図１２】同封印紙貼着構造を適用した遊技機用制御基板ボックスの上部部分斜視図である。
【図１３】他の変形例にかかる封印紙貼着構造を適用した遊技機用制御基板ボックスの上部部分斜視図である。
【図１４】従来の封印紙貼着構造を適用したパチンコ遊技機用の制御基板ボックスの斜視図である。
【符号の説明】
３０…制御基板ボックス
３１…表ケーシング
３２…裏ケーシング
４０…突部
４１，４２，４４…凸部
４１ａ，４１ｂ，４２ａ，４２ｂ…台部
４３ａ，４３ｂ…台部
４４ａ，４４ｂ…リブ
４５，４５…小突起
４６…突起
５０…封印紙
５１…孔
【図１】
0003918929.tif 000002
【図２】
0003918929.tif 000003
【図３】
0003918929.tif 000004
【図４】
0003918929.tif 000005
【図５】
0003918929.tif 000006
【図６】
0003918929.tif 000007
【図７】
0003918929.tif 000008
【図８】
0003918929.tif 000009
【図９】
0003918929.tif 000010
【図１０】
0003918929.tif 000011
【図１１】
0003918929.tif 000012
【図１２】
0003918929.tif 000013
【図１３】
0003918929.tif 000014
【図１４】
0003918929.tif 000015